(57)【特許請求の範囲】
【請求項１】
一次側と二次側とを電気的に接続するブレーカーを複数備え、各ブレーカーが一次側と二次側との電気的な接続を切断するための切断手段を備えた屋内用分電盤であって、各ブレーカーにおける切断手段の状態を検出する第一検出手段と、各ブレーカーに対する一次側の通電状態を検出する第二検出手段と、切断手段の状態と一次側の通電状態との複数の組合せパターンに対応した複数のガイダンス情報を予め記憶させた記憶手段と、複数のガイダンス情報の中から第一検出手段及び第二検出手段の検出結果の組合せパターンに対応するガイダンス情報を抽出する情報抽出手段と、抽出されたガイダンス情報の内容を外部に向けて告知する告知手段とを備えていることを特徴とする屋内用分電盤。
【請求項２】
各ブレーカーの切断手段は、一次側と二次側とが電気的に接続される接続状態と、電気的な接続が切断される切断状態とに外部から切換可能な第一切換機構を備え、第一検出手段は、第一切換機構の状態を検出する第一切換機構検出手段を備えている請求項１に記載の屋内用分電盤。
【請求項３】
複数のブレーカーのうちの一つのブレーカーは、切断手段が漏電時に接続状態から切断状態に切り換える第二切換機構を更に備えると共に、その他のブレーカーが二次側に接続される漏電ブレーカーであり、該漏電ブレーカーに対応する第一検出手段は、第二切換機構の状態を検出する第二切換機構検出手段をさらに備え、前記記憶手段は、第一切換機構の状態、第二切換機構の状態、及びブレーカーの一次側の通電状態との組み合わせに対応した複数のガイダンス情報が記憶され、情報抽出手段は、複数のガイダンス情報の中から第一切換機構検出手段、第二切換機構検出手段、及び第二検出手段の検出結果の組合せパターンに対応するガイダンス情報を抽出するように構成されている請求項２に記載の屋内用分電盤。
【請求項４】
前記告知手段は、ガイダンス情報の内容を文字及び図柄の少なくとも何れか一方として表示するモニター、及び、ガイダンス情報の内容を音声として発する音声出力装置の少なくとも何れか一方を備えている請求項１乃至３の何れかに記載の屋内用分電盤。
【請求項５】
告知手段は、複数のブレーカーの切断手段が電気的な接続を切断しているときに、その状態に対応したガイダンス情報を基にして復帰させるブレーカーの順番を告知する手順告知手段を備えている請求項１乃至４の何れかに記載の屋内用分電盤。
【発明の詳細な説明】
【技術分野】
【０００１】
本発明は、一次側の電力供給ラインから供給される電力を複数エリアに供給するために分配する分電盤に関する。特には、屋外から引き込まれる一次側の電力供給ラインと、屋内の複数エリアに電力を供給すべく各エリアに引き込まれた屋内配線とを電気的に接続する複数のブレーカーを備え、各ブレーカーが電気的な接続を切断するための切断手段を備えた屋内用分電盤に関する。
【背景技術】
【０００２】
従来から、一次側から供給される電力を屋内の複数のエリアに供給するのに分電盤（以下、屋内用分電盤という）が用いられている。
【０００３】
かかる屋内用分電盤は、屋外から引き込まれる一次側の電力供給ラインと、屋内の複数エリアに電力を供給すべく各エリアに引き込まれた屋内配線とを電気的に接続する複数のブレーカーを備えている。
【０００４】
各ブレーカーは、一次側と二次側との電気的な接続を切断するための切断手段を備えており、非常時等において、切断手段によって電気的な接続を切断し、二次側への電力の供給を停止できるようになっている。
【０００５】
具体的に説明すると、前記切断手段は、一次側と二次側とが電気的に接続される接続状態と、電気的な接続が切断される切断状態とに外部から切換可能な切換機構（以下、第一切換機構という）を備えている。該第一切換機構は、外部操作するためのレバーと、一次側及び二次側を電気的に接続する接点と前記レバーとを作動的に接続する接続機構（例えば、リンク機構）とを備えており、レバーを操作することで、接点を開閉して電気的に接続した接続状態と該接続が切断される切断状態とに切り替わるようになっている。そして、一般的なブレーカーは、漏電、電気の使いすぎ等によって電力消費が所定以上になると第一切換機構（接続機構）を作動させる作動体（例えば、バイメタルや電磁石等）を備えており、非常時において自動的に接続を切断し、火事等の発生を防止するようになっている。
【０００６】
上記構成のブレーカーは、上述の如く、接続機構が接点とレバーとを作動的に接続しているので、作動体が接続機構を作動させたときにレバーも連動し、該レバーを操作することで切断状態から接続状態に復帰させることができるようになっている。
【０００７】
このように一次側と二次側とを電気的に接続するブレーカーの中には、漏電が発生したときに切断状態になるように構成された、いわゆる漏電ブレーカーがある。該漏電ブレーカーの切断手段は、第一切換機構に加え、漏電時に接続状態から切断状態に切り換える切換機構（以下、第二切換機構という）を更に備えている。第二切換機構は、一次側と二次側との電位差が０に近づくと瞬時に第一切換機構の接続機構を作動させる電磁石等の作動体や、第一切換機構の接続機構等に連動して漏電発生を告知する漏電表示ボタン等を備えており、漏電発生に伴う火災事故の発生等を未然に防止できるようになっている。
【０００８】
かかる漏電ブレーカーは、第二切換機構が第一切換機構（接続機構）に作動的に設けられているので、漏電によって接続機構を作動したときにレバーも連動し、該レバーを操作することで切断状態から接続状態に復帰させることができるようになっている。なお、漏電ブレーカーによっては、漏電表示ボタンを押し操作しながらレバー操作を行って復帰させるものもある。
【発明の開示】
【発明が解決しようとする課題】
【０００９】
ところで、屋内の各エリアへの電力供給の停止は、一次側（電力供給ライン）からの電力供給の停止（停電）や、屋内分電盤よりも二次側での漏電、エリア内での電気の使いすぎ等によるブレーカーでの通電の遮断、ブレーカーの故障等によるものであるが、電力供給の停止の原因を的確に把握することは困難である。即ち、使用者は、屋内分電盤内のブレーカーのレバーの位置で電力供給が停止されたことを判断することしかできず、停電、漏電、電気の使いすぎの何れによるものかを把握して原因にあった適切な復帰作業を行うことが困難である。特に、電気的な知識に乏しい使用者は、どのような対策を講じればよいのか判らず、復帰作業に戸惑うことは顕著である。
【００１０】
一方、負荷電流、漏れ電流、および線間電圧（通電状態）を検出し、この検出結果を基に解析を行って停電の原因を特定する電源監視レコーダが提案されているが、かかる電源監視レコーダーは、あくまでも停電の原因を特定するだけである（例えば、特許文献１参照）。
【００１１】
このため、停電の原因が特定されたとしても、使用者はその原因にあった適切な対処方法を知ることができず、復帰作業に戸惑うことは何ら代わりがない。
【特許文献１】特開平５−２６４２９５号公報
【００１２】
そこで、本発明は、斯かる実情に鑑み、電力供給が停止した際の原因を的確に把握し、使用者に対してその原因に応じた適切な対応を知らしめることができる屋内用分電盤を提供することを課題とする。
【課題を解決するための手段】
【００１３】
本発明に係る屋内用分電盤は、一次側と二次側とを電気的に接続するブレーカーを複数備え、各ブレーカーが一次側と二次側との電気的な接続を切断するための切断手段を備えた屋内用分電盤であって、各ブレーカーにおける切断手段の状態を検出する第一検出手段と、各ブレーカーに対する一次側の通電状態を検出する第二検出手段と、切断手段の状態と一次側の通電状態との複数の組合せパターンに対応した複数のガイダンス情報を予め記憶させた記憶手段と、複数のガイダンス情報の中から第一検出手段及び第二検出手段の検出結果の組合せパターンに対応するガイダンス情報を抽出する情報抽出手段と、抽出されたガイダンス情報の内容を外部に向けて告知する告知手段とを備えていることを特徴とする。ここで「ガイダンス情報」とは、使用者に対して電力供給の停止についての説明に関する情報であって、二次側への電力供給の停止の原因や、電力供給の停止に対する復帰手順等を含むものである。
【００１４】
上記構成の屋内用分電盤は、第一検出手段及び第二検出手段の検出結果の組合せパターンに対応して抽出されたガイダンス情報を告知手段で告知するようにしているので、使用者が告知手段の内容を基に現状を的確且つ迅速に把握することができ、電力供給の停止に対する復帰を円滑に行うことができる。
【００１５】
具体的には、ブレーカーの切断手段は、通電状態に対応して態様が変化する（例えば、一次側と二次側とを電気的に接続可能で且つその接続を切断可能に構成された接点を開閉するための機構の態様が変化する）ので、第一検出手段で切断手段の状態を検出することで、電気的な接続が切断されたときに、その切断がブレーカーの切断手段によるものか否かを把握することができる。そして、第二検出手段でブレーカーの一次側の通電状態を検出することで、ブレーカーよりも一次側の通電状態を把握することができる。
【００１６】
従って、切断手段の状態と一次側の通電状態との複数の組合せパターン（想定されるトラブルの発生パターン）に対応した複数のガイダンス情報を記憶手段に予め記憶させておき、情報抽出手段で複数のガイダンス情報の中から第一検出手段及び第二検出手段の検出結果の組合せパターンに対応するガイダンス情報を抽出することで、現状にあった適正なガイダンス情報を抽出することができる。特に、切断手段の状態と一次側の通電状態との両方を電力供給の停止の原因を特定する基準としているので、通電状態だけで判断するような場合に比してトラブルの原因の特定の信頼性は勿論のこと、ガイダンス情報の抽出の信頼性も高いものになる。これにより、抽出されたガイダンス情報の内容を告知手段によって告知することで、使用者がトラブルの現状を的確且つ迅速に把握することができ、電力供給の停止に対する復帰作業を円滑に行うことができる。
【００１７】
本発明の一態様として、各ブレーカーの切断手段は、一次側と二次側とが電気的に接続される接続状態と、電気的な接続が切断される切断状態とに外部から切換可能な第一切換機構を備え、各第一検出手段は、第一切換機構の状態を検出する第一切換機構検出手段を備えていることが好ましい。一般的にブレーカーは、非常時に切断された接続を復帰させるべく、接続状態と切断状態とに外部から切換可能な第一切換機構を備えている。該第一切換機構は、例えば、使用者が操作するレバーと、接点を開閉すべく、レバーと接点とを作動的に接続する接続機構（例えば、リンク機構）とを備えており、各構成要素は、接続状態と切断状態との姿勢や態様が異なるものである。従って、第一切換機構検出手段で第一切換機構の状態を検出することで、電気的な接続が切断されたときに、ブレーカーの切断手段によるものか否かを確実に把握することができる。
【００１８】
この場合、複数のブレーカーのうちの一つのブレーカーは、切断手段が漏電時に接続状態から切断状態に切り換える第二切換機構を更に備えると共に、その他のブレーカーが二次側に接続される漏電ブレーカーであり、該漏電ブレーカーに対応する第一検出手段は、第二切換機構の状態を検出する第二切換機構検出手段をさらに備え、前記記憶手段は、第一切換機構の状態、第二切換機構の状態、及びブレーカーの一次側の通電状態との組み合わせに対応した複数のガイダンス情報が記憶され、情報抽出手段は、複数のガイダンス情報の中から第一切換機構検出手段、第二切換機構検出手段、及び第二検出手段の検出結果の組合せパターンに対応するガイダンス情報を抽出するように構成されてもよい。このようにすれば、複数のブレーカーのうちの一つに漏電ブレーカーが採用されても、漏電ブレーカー、及びその他のブレーカーのそれぞれの状態を把握することができ、屋外（一次側）の原因による停電、各ブレーカーに対応する二次側での電気の使いすぎ、漏電の何れにおいてもさらに的確に把握することができ、複数のガイダンス情報から適正なガイダンス情報を抽出することができる。
【００１９】
そして、前記告知手段は、ガイダンス情報の内容を文字及び図柄の少なくとも何れか一方として表示するモニター、及び、ガイダンス情報の内容を音声として発する音声出力装置の少なくとも何れか一方を備えていることが好ましい。このようにすることで、使用者が電力供給の停止の原因や復帰の仕方を的確に把握することができる。
【００２０】
また、告知手段は、複数のブレーカーの切断手段が電気的な接続を切断しているときに、その状態に対応したガイダンス情報を基にして復帰させるブレーカーの順番を告知する手順告知手段を備えていてもよい。このようにすれば、使用者が復帰の手順を確実に把握することができ、不手際による再度の復帰作業を行うような事態になるのを防止することができる。
【発明の効果】
【００２１】
以上のように、本発明に係る屋内用分電盤によれば、電力供給が停止した際の原因を的確に把握し、使用者に対してその原因に応じた適切な対応を知らしめることができるという優れた効果を奏し得る。
【発明を実施するための最良の形態】
【００２２】
以下、本発明の一実施形態に係る屋内用分電盤について、添付図面を参酌しつつ説明する。
【００２３】
本実施形態に係る屋内用分電盤は、屋内の壁面等に取り付けられるもので、図１及び図２に示す如く、一次側と二次側とを電気的に接続し、その電気的な接続を切断するための切断手段１０を備えた複数のブレーカー１ａ、１ｂ…と、各ブレーカー１ａ、１ｂ…の切断手段１０の状態を検出する第一検出手段２と、各ブレーカー１ａ、１ｂ…の一次側の通電状態を検出する第二検出手段３と、切断手段１０の状態と一次側の通電状態との複数の組合せパターンに対応した複数のガイダンス情報を予め記憶させた記憶手段４と、複数のガイダンス情報の中から第一検出手段２及び第二検出手段３の検出結果の組み合わせに対応するガイダンス情報を抽出する情報抽出手段５と、抽出されたガイダンス情報を外部に向けて告知する告知手段６と、一次側からの電力供給が停止したときに、少なくとも記憶手段４、情報抽出手段５、及び告知手段６に電力を供給するための充電式電源７とを備えている。
【００２４】
各ブレーカー１ａ、１ｂ…の切断手段１０は、一次側と二次側とが電気的に接続される接続状態と、電気的な接続が切断される切断状態とに外部から切換可能な第一切換機構１００（図３（イ）参照）を備えている。そして、複数のブレーカー１ａ，１ｂ…のうちの一つのブレーカー１ａは、切断手段１０が第一切換機構１００に加えて、漏電時に接続状態から切断状態に切り換える第二切換機構１５０（図３（ロ）参照）を備えた漏電ブレーカー１ａが採用されている。そして、該漏電ブレーカー１ａは、二次側にその他のブレーカー１ｂ…がケーブルを介して電気的に接続されている。即ち、その他のブレーカー１ｂ…は、漏電ブレーカー１ａを介して一次側（屋外から引き込まれた電力供給ライン）に電気的に接続されている。なお、以下の説明において、便宜上、漏電ブレーカー１ａ以外のブレーカー１ｂ…を一般ブレーカーといい、漏電ブレーカー１ａ及び一般ブレーカー１ｂ…の両方を対象とする場合には、総称して単にブレーカーという。
【００２５】
本実施形態に係る屋内用分電盤に採用される各ブレーカー１ａ、１ｂ…は一般的なものであるが、概略説明すると、一般ブレーカー１ｂ…は、一次側（漏電ブレーカー１ａからの配線）と、二次側（屋内に設定されたエリアからの室内配線（図示しない））とを電気的に接続する接点（図示しない）と、接点を開閉して電力供給とその遮断とを切り換える切断手段１０（第一切換機構１００）と、過電流が流れたときに接点を開いて電力供給を遮断させるための作動体としてのバイメタル等の圧電素子（図示しない）とを備えている。
【００２６】
一般ブレーカー１ｂ…の切断手段１０（第一切換機構１００）は、図３（イ）に示す如く、使用者が外部から操作するためのレバー１０１と、該レバー１０１の動作と接点の開閉とを連動させるようにレバー１０１と接点とを作動的に接続する接続機構１０２とで構成されている。
【００２７】
そして、接続機構１０２には、リンク機構、又はカム機構、或いはこれらを組み合わせた機構が採用されている。本実施形態に係る接続機構１０２には、リンク機構が採用されており、前記圧電素子についても作動的に接続されている。これにより、電気の使い過ぎ等で過電流が流れるに伴って圧電素子が作動（例えば、変形）することでリンク機構１０２が作動し、接点が開くと共にレバー１０１の位置が変更するようになっている。そして、接点が開いた状態でレバー１０１の位置を変更する（動かす）ことで、該接点が閉じて電力供給可能（通電可能）な状態に復帰できるようになっている。
【００２８】
前記漏電ブレーカー１ａは、上述の如く、切断手段１０が第一切換機構１００に加えて第二切換機構１５０を更に備えている。該第二切換機構１５０には、種々のタイプのものがあるが、本実施形態に係る第二切換機構１５０は、図３（ロ）に示す如く、漏電等の発生によって急激に電流が流れたとき、即ち、一次側と二次側との電位差が０に近づく、或いは０になったときに、強力な磁力を瞬時に発生させる作動体としての磁力発生体１５１と、傾動可能に設けられると共に第一切換機構１００の接続機構１０２に対して作動的に接続された可動鉄片１５２とを備えている。該第二切換機構１５０は、急激に電流が流れたときに磁力発生体１５１が発生する強力な磁力によって可動鉄片１５２が瞬時に動作し、これに伴って第一切換機構１００の接続機構１０２が作動して接点を開くようになっている。
【００２９】
さらに、本実施形態に係る漏電ブレーカー１ａは、漏電時における可動鉄片１５２の動作に連動して外部に突出し、漏電が発生している旨を使用者に知らしめる漏電表示ボタン１５３（図１参照）を備えている。漏電表示ボタン１５３は、可動鉄片１５２又は接続機構１０２に作動的に接続されており、漏電時に可動鉄片１５２等の動作と連動すると共に、外部に突出している状態（漏電である旨を示している状態）で接続機構１０２の作動を阻害し、安易に接点が閉状態にならないようになっている。即ち、該漏電ブレーカー１ａは、漏電表示ボタン１５３が漏電が発生している旨を示している状態で、第一切換機構１００のレバー１０１の操作だけで復帰できないようになっており、復帰するに際して、漏電表示ボタン１５３を突出状態から退避状態となるように使用者が押し操作しつつ第一切換機構１００を操作する（レバー１０１の位置を変更する）ことで復帰できるようになっている。
【００３０】
なお、本実施形態に係る漏電ブレーカー１ａの接続機構１０２は、第二切換機構１５０の作動によって接点が開いたときに、レバー１０１が中立に位置するように構成されており、この状態から接点を閉じるには、レバー１０１を接点の開く位置（ＯＦＦ位置）に一旦動かした後に、該レバー１０１を接点の閉じる位置（ＯＮ位置）に移動させる（復帰させる）ようになっている。
【００３１】
前記第一検出手段２は、ブレーカー１ａ，１ｂ…毎に設けられており、第一切換機構１００の状態を検出する第一切換機構検出手段２０を備えている。そして、漏電ブレーカー１ａに対応する第一検出手段２は、第一切換機構検出手段２０に加えて、第二切換機構１５０の作動状態を検出する第二切換機構検出手段２５をさらに備えている。
【００３２】
図４（イ）に示す如く、本実施形態に係る第一切換機構検出手段２０は、リミットスイッチが採用されている。該リミットスイッチ２０は、回転可能に設けられたスイッチアーム２００と、該スイッチアーム２００が所定角度回転したときに、ＯＦＦ状態からＯＮ状態に（又は、ＯＮ状態からＯＦＦ状態に）切り替わるスイッチ接点（図示しない）とを備えている。前記スイッチアーム２００は、第一切換機構１００（レバー１０１に接続されたリンク機構１０２のピン１０２ａ）の軌道上に設けられており、所定位置を通過するピン１０２ａがストライカーとして機能して所定角度以上回転し、スイッチ接点のＯＮ／ＯＦＦの状態が切り換わるようになっている。なお、本実施形態に係る漏電ブレーカー１ａは、第二切換機構１５０が作動したときにレバー１０１が中立に位置するように構成されており、このため、漏電ブレーカー１ａに対する第一切換機構検出手段２０は、レバー１０１がＯＦＦ位置であることを検出するリミットスイッチと、レバー１０１が中立位置であることを検出するリミットスイッチとで構成されている（図示しない）。そして、漏電ブレーカー１ａのリミットスイッチ２０（スイッチアーム２００）は、何れも第一切換機構１００の一部がストライカーとして機能する位置に設けられている。
【００３３】
図４（ロ）に示す如く、本実施形態に係る第二切換機構検出手段２５にも、リミットスイッチが採用されている。該リミットスイッチ２５は、スイッチアーム２１０が第二切換機構１５０の動作領域内（例えば、可動鉄片１５２の軌道上）に設けられており、所定位置を移動する通過する可動鉄片１５２がストライカーとして機能して所定角度以上回転し、スイッチ接点のＯＮ／ＯＦＦの状態が切り換わるようになっている。
【００３４】
図２に戻り、第一切換機構検出手段２０及び第二切換機構検出手段２５の何れも、後述する演算処理装置（ＣＰＵ５）に繋がるバスに接続されており、スイッチ接点がＯＮ状態（又はＯＦＦ状態）になったときにバスＢを介してＣＰＵ５に信号として入力されるようになっている。即ち、第一切換機構検出手段２０からの信号の入力の有無により、ブレーカー１ａ、１ｂ…のレバー１０１がＯＦＦ位置（接点が開く位置）であるかＯＮ位置（接点が閉じる位置）であるかをＣＰＵ５が認識し、第二切換機構検出手段２５からの信号の有無で、漏電に伴って第二切換機構１５０が接点を開いたことをＣＰＵ５が認識できるようになっている。
【００３５】
前記第二検出手段３には、電圧計が採用されており、各電圧計３は前記バスＢに接続されている。これにより、各ブレーカー１ａ、１ｂ…に対応した一次側における通電状態（例えば、電圧の有無、その電圧値）が信号として入力され、通電している状態か遮断している状態かをＣＰＵ５が認識できるようになっている。
【００３６】
前記記憶手段４は、ＲＡＭで構成されており、バスＢを介してＣＰＵ５に接続されている。該記憶手段４には、ＣＰＵ５が一連の処理（例えば、判断処理）を行うためのソフトウェアと、第一切換機構１００の状態、第二切換機構１５０の状態、及びブレーカー１ａ、１ｂ…の一次側の通電状態の組合せパターンと、各組合せパターンに対応した複数のガイダンス情報が記憶されている。該ガイダンス情報には、後述のモニター６０に表示するための所定の内容の文字情報、及び図柄情報と、後述の音声出力装置６１から発するための音声情報が設定されている。
【００３７】
ガイダンス情報は、対応する組合せパターンによって異なるが、電力供給の停止の原因に関するもの（例えば、電力供給の停止の原因やそれに対する復帰の手順）や、正常に復帰した旨を示すもの等が設定されており、例えば、全てのブレーカー１ａ、１ｂ…がＯＮ状態（レバー１０１がＯＮ位置）でブレーカー１ａ、１ｂ…の一次側に電圧がない（０Ｖ）という条件と、「最寄りの電力会社に連絡する」旨のガイダンス情報とが関連付けられ、漏電ブレーカー１ａの漏電表示ボタン１５３が漏電である旨を表示せずに、ブレーカー１ａ，１ｂ…のレバー１０１がＯＦＦ位置にあるという条件と、「レバー１０１をＯＮ位置に上げる」旨のガイダンス情報とが関連づけられてＲＡＭ４に記憶されている。なお、切断手段１０の状態と通電状態との組み合わせパターン、及びこれに関連付けられるガイダンス情報は、その他複数あるが、ここでの説明を割愛し、その他の例については該屋内用分電盤の作動と併せて後述することとする。
【００３８】
本実施形態においては、複数の判断処理を行って電力供給の停止の原因を的確に把握するようにしており、これに伴って、複数のガイダンス情報は、第一検出手段２及び第二検出手段３の検出結果の組合せパターンの他に、判断処理のステップ位置（アドレス）に対しても関連づけられている。これにより、複数の判断処理を行う中で、異なる処理ステップにおいて、第一検出手段２及び第二検出手段３の検出結果の組合せパターンが同じ状態になっても、その判断処理のステップに適合するガイダンス情報を抽出できるようになっている。
【００３９】
前記情報抽出手段５は、演算素子（ＣＰＵ）で構成されており、バスＢを介して入力される各種情報及び信号等を基にして、一連の演算処理（判断処理、抽出処理等）を行うようになっている。
【００４０】
前記告知手段６は、ガイダンス情報の内容を文字及び図柄の少なくとも何れか一方として表示するモニター６０、及び、ガイダンス情報の内容を音声として発する音声出力装置６１とを備えている。また、本実施形態に係る告知手段６は、複数のブレーカー１ａ、１ｂ…の接点が開状態（電気的な接続が遮断された状態）、或いは、レバー１０１がＯＦＦ位置になっているときに、復帰させるブレーカー１ａ、１ｂ…の順番を告知する手順告知手段６２を備えている。
【００４１】
前記モニター６０は、ドットディスプレイ或いは液晶ディスプレー等の薄型のディスプレイが採用されている。該モニター６０は、バスＢを介してＣＰＵ５に接続されており、ＣＰＵ５の処理結果に基づき、記憶手段４に記憶させたガイダンス情報を表示するようになっている。そして、ガイダンス情報の内容を一画面で表示できない場合や、次のステップに移るに際し、別途設けられた入力手段（ＮＥＸＴボタン）６５（図１参照）を操作することで、表示内容が切り換わるようになっている。
【００４２】
音声出力装置６１は、音源ボード（図示しない）やスピーカー６００（図１参照）等で構成されている。該音声出力装置６１は、バスＢを介してＣＰＵ５に接続されており、ＣＰＵ５の処理結果に基づき、記憶手段４に記憶させたガイダンス情報の内容を音声として発するようになっている。即ち、音声出力装置６１は、モニター６０に表示されるガイダンス情報と対応する内容の音声をスピーカー６００から発するようになっている。
【００４３】
前記手順告知手段６２は、発光素子（ＬＥＤ）が構成されており、ブレーカー１ａ、１ｂ…毎に対応して設けらている。本実施形態に係る手順告知手段６２は、復帰手順を示すためのＬＥＤ６２ａと、トラブルが発生している旨を示すＬＥＤ６２ｂとで構成されており、これら二つ一組してブレーカー毎に設けられている（図１参照）。手順告知手段６２（ＬＥＤ６２ａ，６２ｂ）は、バスＢを介してＣＰＵ５に接続されている。そして、該手順告知手段６２は、ＣＰＵ５の処理結果に基づき、ガイダンス情報の内容や、電気的な接続が遮断されているブレーカー１ａ、１ｂ…の配置（アドレス情報）等とを基にして復帰させるブレーカー１ａ、１ｂ…毎に点灯するようになっている。即ち、トラブルが発生している旨を示すＬＥＤ６２ｂは、該当するブレーカー１ａ，１ｂに対応して点灯しつづけ、復帰手順を示すためのＬＥＤ６２ａは、復帰操作をブレーカー１ａ，１ｂに対応して点灯し、復帰操作後に消滅するようになっている。
【００４４】
なお、ＣＰＵ５及びＲＡＭ４等は、同一基板上に設けられており、モニター６０、音声出力装置６１、ＬＥＤ６２，リミットスイッチ２０、電圧計等については、基板上に形成されるバスＢラインに対して電気的に接続されている。
【００４５】
前記充電式電源７は、一次側の電力供給ラインに接続された充電装置（図示しない）と、充電装置によって充電されるバッテリー（図示しない）とを備えており、電力供給ラインからの電力供給が絶たれた場合（停電の場合）であっても、バッテリーからの電力供給でＣＰＵ５等を確実に作動させて告知手段６で適切なガイダンスを行うことができるようになっている。そして、本実施形態に係る充電式電源７（充電装置）は、通常の状態でバッテリーの充電を行うと共に基板に対して電力供給を行ってＣＰＵ５等を常時作動させることができるようになっている。
【００４６】
本実施形態に係る屋内用分電盤は、以上の構成からなり、次に、該屋内用分電盤の作動について説明すると、正常に電力供給が行われている場合には、各ブレーカー１ａ、１ｂ…の切断手段１０の状態（レーバー１０１の位置）、一次側の通電状態（電圧等）が適正な状態であるので、記憶手段４に記憶させた正常状態のパターンと、第一検出手段２及び第二検出手段３の検出結果の組み合わせパターンとが一致するため、告知手段６は一切告知しないか、或いは、標準状態に対応する内容の告知、例えば、図１に示す如く、モニター６０に「非常時にガイダンスを表示する」旨が表示される。
【００４７】
その一方で、電力供給が停止した場合、第一検出手段２及び第二検出手段３の検出結果の組合せパターンが、正常状態のパターンとが一致しないことになり、電力供給の停止の原因等について判断される。
【００４８】
具体的には、図５に示す如く、第一切換機構検出手段２０及び第二検出手段３の検出結果を基に全てのブレーカー１ａ、１ｂ…に対して一次側から電力供給されているか（ＯＮであるか）否かを判断する（Ｓ１０）。そして、ＣＰＵ５が全てのブレーカー１ａ、１ｂ…のレバー１０１がＯＮ位置にあるが第二検出手段３から信号の入力がない（検出結果が０Ｖである）と判断した場合（Ｓ１０でＹＥＳ）、電力供給ライン側（屋外）での問題で電力供給が停止した（停電した）として、この条件（検出結果の組合せパターン、処理ステップアドレス（この場合においてはＳ１０））に対応するガイダンス情報ＤがＣＰＵ５によって抽出され、抽出されたガイダンス情報Ｄの内容、例えば「外部に停電の原因があるため、最寄りの電力会社に連絡する」旨が告知手段６によって告知される（Ｓ９０）。
【００４９】
そして、ＣＰＵ５が、何れかのブレーカー１ａ、１ｂ…のレバー１０１がＯＦＦ位置にあると判断した場合（Ｓ１０でＮＯ）、第二切換機構検出手段２５で第二切換機構１５０の状態を検出（間接的に漏電表示ボタン１５３の表示状態を判断）し、この検出結果に基づいて二次側で漏電しているか否かを判断する（Ｓ２０）。
【００５０】
そして、二次側で漏電していない（漏電表示ボタン１５３は漏電を示していない）と判断した場合（Ｓ２０でＮＯ）、この条件に対応するガイダンス情報ＥがＣＰＵ５によって抽出され、そのガイダンス情報Ｅの内容、例えば「ＯＦＦ位置にあるレバーをＯＮ位置に上げる」旨が告知手段６によって告知される（Ｓ１００）。この際、レバー１０１がＯＦＦ位置にあるブレーカー１ａ、１ｂ…が２つ以上ある場合には、その条件に対応する復帰手順が手順告知手段６２（ＬＥＤ６２ａ）によって告知される。
【００５１】
そして、ＣＰＵ５は、使用者がレバー１０１を操作するまで待機し、第一切換機構検出手段２０からの信号が切り換わると、使用者がレバー１０１を操作したとして認識し、第一検出手段２及び第二検出手段３の検出結果を基に、正常に電力供給が復帰したか（通電状態になったか）否かを判断する（Ｓ１２０）。そして、レバー１０１がＯＮ位置で一次側が通電状態にあることから、正常に復帰したと判断した場合（Ｓ１２０でＹＥＳ）、その条件に対応したガイダンス情報ＩがＣＰＵ５によって抽出され、そのガイダンス情報Ｉの内容、例えば、「正常に復帰した」旨が告知手段６によって告知される（Ｓ１６０）。
【００５２】
他方、ＣＰＵ５が第一検出手段２及び第二検出手段３の検出結果を基に、レバー１０１がＯＦＦ位置にあるか、或いは、第二検出手段３からの信号の入力がないことから、正常に通電していないと判断した場合（Ｓ１２０でＮＯ）、その条件に対応したガイダンス情報ＧがＣＰＵ５によって抽出され、そのガイダンス情報Ｇの内容、例えば、「電気を使いすぎていないか？全てのレバーをＯＦＦ位置にし、漏電ブレーカーのレバーをＯＮ位置にしてから一般ブレーカーのレバーを１つずつＯＮ位置にする」旨が告知手段６によって告知される（Ｓ１３０）。
【００５３】
そして、ＣＰＵ５は、使用者がレバー１０１の操作を行うまで待機し、第一切換機構検出手段２０からの信号が切り換わると、使用者が操作したとして認識し、第一検出手段２及び第二検出手段３の検出結果を基に、正常に電力供給が復帰したか（通電状態になったか）否かを判断する（Ｓ１４０）。その結果、レバー１０１がＯＮ位置で一次側が通電状態にあることから、正常に復帰したと判断した場合（Ｓ１４０でＹＥＳ）、その条件に対応したガイダンス情報ＩがＣＰＵ５によって抽出され、そのガイダンス情報Ｉの内容、例えば、「正常に復帰した」旨が告知手段６によって告知される（Ｓ１６０）。
【００５４】
他方、ＣＰＵ５が、レバー１０１がＯＦＦ位置にある、或いは、第二検出手段３からの信号の入力がないことから、正常に通電していないと判断した場合（Ｓ１４０でＮＯ）、その条件に対応したガイダンス情報ＨがＣＰＵ５によって抽出され、そのガイダンス情報Ｈの内容、例えば、「個人の作業で復帰が不可能な状態にあるため、最寄りの電力会社に連絡する」旨が告知手段６によって告知される（Ｓ１５０）。
【００５５】
そして、Ｓ２０でＣＰＵ５が漏電表示ボタン１５３が漏電を示している（二次側で漏電している）と判断した場合（Ｓ２０でＹＥＳ）、漏電ブレーカー１ａの第一切換機構検出手段２０からの信号の入力の有無を基に、漏電ブレーカー１ａのレバー１０１が中立位置にあるか否かを判断する（Ｓ３０）。そして、ＣＰＵ５が漏電ブレーカー１ａのレバー１０１が中立位置であると判断した場合（Ｓ３０でＹＥＳ）、その条件に対応したガイダンス情報ＦがＣＰＵ５によって抽出され、そのガイダンス情報Ｆの内容、例えば「漏電表示ボタンを押しながら、漏電ブレーカーのレバーを一旦ＯＦＦ位置にしてからＯＮ位置にまで移動させる」旨が告知手段６によって告知される（Ｓ１１０）。
【００５６】
そして、ＣＰＵ５は、使用者がレバー１０１の操作を行うまで待機し、第一切換機構検出手段２０からの信号が切り換わると、使用者が操作したとして認識し、第一検出手段２及び第二検出手段３の検出結果を基に、正常に電力供給が復帰したか（通電状態になったか）否かを判断する（Ｓ５０）。
【００５７】
他方、ＣＰＵ５が、Ｓ３０で漏電ブレーカー１ａのレバー１０１が中立位置にないと判断した場合（Ｓ３０でＮＯ）、その条件に対応したガイダンス情報ＡがＣＰＵ５によって抽出され、そのガイダンス情報Ａの内容、例えば「漏電状態表示ボタンを押しながら、漏電ブレーカーのレバーをＯＮ位置にまで移動させる」旨が告知手段６によって告知される（Ｓ４０）。
【００５８】
そうすると、ＣＰＵ５は、使用者がレバー１０１の操作を行うまで待機し、第一切換機構検出手段２０からの信号が切り換わると、使用者が操作したとして認識し、第一検出手段２及び第二検出手段３の検出結果を基に、正常に電力供給が復帰したか（通電状態になったか）否かを判断する（Ｓ５０）。
【００５９】
そして、ＣＰＵ５が、Ｓ５０で漏電表示ボタン１５３が漏電を示さずにレバー１０１がＯＮ位置で一次側が通電状態にあることから、正常に復帰したと判断した場合（Ｓ５０でＹＥＳ）、その状態に対応したガイダンス情報ＩがＣＰＵ５によって抽出され、そのガイダンス情報Ｉの内容、例えば、「正常に復帰した」旨を告知手段６によって告知される（Ｓ１７０）。
【００６０】
他方、ＣＰＵ５が、漏電表示ボタン１５３が漏電を示している、又はブレーカー１ａ，１ｂ…のレバー１０１がＯＦＦ位置にある、或いは一次側が通電状態にないことから、正常に通電していないと判断した場合（Ｓ５０でＮＯ）、その条件に対応したガイダンス情報ＢがＣＰＵ５によって抽出され、そのガイダンス情報Ｂの内容、例えば、「漏電の可能性がある」旨、「全てのレバー１０１をＯＦＦ位置にし、漏電ブレーカー１ａのレバー１０１をＯＮ位置にしてから他のブレーカー１ｂ…のレバー１０１を１つずつＯＮ位置にする」旨が告知手段６によって告知される（Ｓ６０）。
【００６１】
そして、ＣＰＵ５は、使用者がレバー１０１の操作を行うまで待機し、第一切換機構検出手段２０からの信号の入力があると、使用者が操作したとして認識し、第一検出手段２及び第二検出手段３の検出結果を基に、正常に電力供給が復帰したか（通電状態になったか）否かが判断される（Ｓ７０）。
【００６２】
そして、ＣＰＵ５が、漏電表示ボタン１５３が漏電を示さずにレバー１０１がＯＮ位置で一次側が通電状態にあることから、正常に復帰したと判断した場合（Ｓ７０でＹＥＳ）、その条件に対応したガイダンス情報ＪがＣＰＵ５によって抽出され、そのガイダンス情報Ｊの内容、例えば、「正常に復帰した」旨が告知手段６によって告知される（Ｓ１７０）。他方、漏電表示ボタン１５３が漏電を示している、又はブレーカー１ａ，１ｂ…のレバー１０１がＯＦＦ位置にある、或いは第二検出手段３からの信号の入力がないことから、正常に通電していないと判断した場合（Ｓ７０でＮＯ）、その条件に対応したガイダンス情報ＣがＣＰＵ５によって抽出され、そのガイダンス情報Ｃの内容、例えば、「個人の作業での復帰が不可能な状態であるため、最寄りの電力会社に連絡する」旨を告知手段６によって告知される（Ｓ８０）。
【００６３】
以上のように、本実施形態に係る屋内用分電盤は、第一検出手段２及び第二検出手段３の検出結果の組み合わせに対応して抽出されたガイダンス情報を告知手段６で告知するようにしているので、使用者に対して電力供給の停止の原因と、その原因に応じた適切な対応を知らしめることができる。これにより、使用者は電力供給の停止といった非常時であっても戸惑うことなく適切な対応をとることができる。特に、切断手段１０の状態と各ブレーカー１ａ、１ｂ…の一次側の通電状態との両方を電力供給の停止の原因を特定する基準としているので、通電状態だけで判断するような場合に比してトラブルの原因の特定の信頼性は勿論のこと、ガイダンス情報の抽出の信頼性の高いものなる。
【００６４】
さらに、第一切換機構検出手段２０で第一切換機構１００の状態を検出するようにしているので、ブレーカー１ａ、１ｂ…のＯＮ／ＯＦＦの状態を確実に把握することができる。特に、漏電ブレーカー１ａに対応する第一検出手段２が、第二切換機構１５０の作動状態を検出する第二切換機構検出手段２５を備えているので、複数のブレーカー１ａ、１ｂ…のうちの一つに漏電ブレーカーが採用されても、漏電ブレーカー１ａ、及び一般ブレーカー１ｂ…のそれぞれの状態を把握することができ、屋外（一次側）の原因による停電、各ブレーカー１ａ、１ｂ…に対応する二次側での電気の使いすぎ、漏電の何れにおいても的確に把握することができ、複数のガイダンス情報から適正なガイダンス情報を抽出することができる。
【００６５】
そして、前記告知手段６にモニター６０、及び、音声出力装置６１を採用したので、使用者が電力供給の停止の原因や復帰の仕方を的確に把握することができる。さらに、告知手段６に手順告知手段６２を設けたので、復帰の手際を明確に告知することができ、復帰作業を再度行うような事態になるのを抑えることができる。
【００６６】
尚、本発明の屋内用分電盤は、上記実施形態に限定されるものではなく、本発明の要旨を逸脱しない範囲内において種々変更を加え得ることは勿論である。
【００６７】
上記実施形態において、漏電ブレーカー１ａを備えたが、これに限定されるものではなく、一般ブレーカー１ｂ…が電気的に並列に設けられたものであってもよい。このようにしても、当該屋内分電盤を基準にした電力供給の停止の原因と対策を、第一検出手段２及び第二検出手段３の検出結果に基づいてガイダンスとして告知することができる。但し、操作性や安全性を考慮すれば、漏電ブレーカー１ａを設けて上記実施形態と同様にすることが好ましいことは言うまでもない。
【００６８】
上記実施形態において、第一検出手段２（第一切換機構検出手段２０及び第二切換機構検出手段２５）にリミットスイッチを採用したが、これに限定されるものではなく、例えば、第一切換機構１００等の動作に対応して反応する近接スイッチ等を採用してもよい。即ち、第一検出手段２は、第一切換機構１００等の動作に対応した検出結果が得られるものであれば、第一切換機構１００等の構成に合わせて適宜変更すればよい。
【００６９】
また、ブレーカー１ａ，１ｂ…の一次側の通電状態を検出する第二検出手段３に電圧計を採用したが、電流計、電力計等であってもよい。即ち、第二検出手段３は、ブレーカー１ａ、１ｂ…の一次側の電力供給の有無を検出できるものであればよい。
【００７０】
また、上記実施形態において、複数のブレーカー１ａ、１ｂ…がＯＦＦ状態にあるときに、復帰させる手順を示す手順告知手段６２を設けるようにしたが、これに限定されるものではなく、手順告知手段６２は必要に応じて適宜設けるようにすればよい。また、手順告知手段６２を設ける場合、モニター１０と別個独立して設ける必要はなく、例えば、図６に示す如く、モニター６０をブレーカー１ａ、１ｂ…の配置に合わせた大きさに設定し、モニター６０上にブレーカー１ａ、１ｂ…の復帰手順を示し、当該モニター６０を手順告知手段６２とするようにしてもよい。また、音声出力装置６１によって、例えば「右から２番目をＯＮにして、続いて４番目をＯＮにしてください。」といった告知を行うようにしてもよい。
【図面の簡単な説明】
【００７１】
【図１】本発明の一実施形態に係る屋内用分電盤の全体斜視図を示す。
【図２】同実施形態に係る屋内用分電盤の概略ブロック図を示す。
【図３】同実施形態に係る屋内用分電盤のブレーカーの部分拡大図であって、（イ）は、第一切換機構を示し、（ロ）は、漏電ブレーカーの第二切換機構の概略図を示す。
【図４】同実施形態に係る屋内用分電盤のブレーカーの部分拡大図であって、（イ）は、第一切換機構と第一検出手段（第一切換機構検出手段）との関係を説明するためのもので、（ロ）は、漏電ブレーカーの第二切換機構と第一検出手段（第一切換機構検出手段）との関係を説明するためのものである。
【図５】同実施形態に係る屋内用分電盤の作動を説明するための概略フローチャートを示す。
【図６】本発明の他実施形態に係る屋内用分電盤の全体斜視図を示す。
【符号の説明】
【００７２】
１ａ…漏電ブレーカー（ブレーカー）、１ｂ…ブレーカー、２…第一検出手段、３…第二検出手段（電圧計）、４…記憶手段（ＲＡＭ）、５…ＣＰＵ（情報抽出手段）、６…告知手段、７…充電式電源、１０…切断手段、２０…第一切換機構検出手段、２０…第一切換機構検出手段（リミットスイッチ）、２５…第二切換機構検出手段（リミットスイッチ）、６０…モニター、６１…音声出力装置、６２…手順告知手段、６５…入力手段（ＮＥＸＴボタン）、１００…第一切換機構、１０１…レバー、１０２…接続機構（リンク機構）、１０２ａ…ピン、１５０…第二切換機構、１５１…磁力発生体、１５２…可動鉄片、１５３…漏電表示ボタン、２００，２１０…スイッチアーム、６００…スピーカー、Ｂ…バス
【図１】
0004679337.tif 000002
【図２】
0004679337.tif 000003
【図３】
0004679337.tif 000004
【図４】
0004679337.tif 000005
【図５】
0004679337.tif 000006
【図６】
0004679337.tif 000007